(57)【要約】【課題】光学性能を損なわずにレンズの小型化とレンズ枠の強度確保を実現できるレンズユニットを提供する。【解決手段】入射側レンズは、円筒状の第１の外周面と、第１の外周面よりも光軸に近く位置して入射側から射出側に進むにつれて光軸からの距離を小さくする第１の傾斜面を有する。射出側レンズは、円筒状の第２の外周面と、第２の外周面よりも光軸に近く位置して入射側から射出側に進むにつれて光軸からの距離が大きくなる第２の傾斜面を有する。レンズ枠は、各レンズの円筒状の外周面を囲むと共に光軸方向位置を決める位置決め部を有する第１枠部と、各レンズの傾斜面を囲む第２枠部を有し、第２枠部の枠内面部は、入射側よりも射出側で光軸からの半径方向の距離が小さく第１の傾斜面に沿う入射側領域と、入射側よりも射出側で光軸からの半径方向の距離が大きく第２の傾斜面に沿う射出側領域を有する。【選択図】図４
2017223829.tif 000002
【特許請求の範囲】
【請求項１】
光軸方向の入射側に位置する入射側レンズと、射出側に位置する射出側レンズ；
上記入射側レンズにおいて光軸を中心とする半径方向の周縁に設けた、上記光軸を中心とする円筒状をなす第１の外周面と、上記半径方向で上記第１の外周面よりも上記光軸からの距離が小さく、上記光軸方向の上記入射側から上記射出側に進むにつれて上記光軸からの上記半径方向の距離を小さくする平面状の第１の傾斜面；
上記射出側レンズにおいて光軸を中心とする半径方向の周縁に設けた、上記光軸を中心とする円筒状をなす第２の外周面と、上記半径方向で上記第２の外周面よりも上記光軸からの距離が小さく、上記光軸方向の上記入射側から上記射出側に進むにつれて上記光軸からの上記半径方向の距離を大きくする平面状の第２の傾斜面；
少なくとも上記入射側レンズと上記射出側レンズを挿入する保持孔を内部に有し、上記第１の外周面と上記第２の外周面の外側を囲む第１枠部と、上記第１の傾斜面と上記第２の傾斜面の外側を囲む第２枠部を有するレンズ枠；
上記第１枠部内に設けた、上記光軸方向での上記入射側レンズの位置を決める入射側位置決め部と、上記光軸方向での上記射出側レンズの位置を決める射出側位置決め部；及び
上記第２枠部で上記保持孔の内面を構成し、上記入射側位置決め部により位置決めされた上記入射側レンズの上記第１の傾斜面に沿う入射側領域と、上記射出側位置決め部により位置決めされた上記射出側レンズの上記第２の傾斜面に沿う射出側領域とを有し、上記入射側領域は上記光軸方向における上記入射側よりも上記射出側で上記光軸からの上記半径方向の距離が小さく、上記射出側領域は上記光軸方向における上記入射側よりも上記射出側で上記光軸からの上記半径方向の距離が大きい枠内面部；
を有することを特徴とするレンズユニット。
【請求項２】
請求項１記載のレンズユニットにおいて、
上記枠内面部の上記入射側領域は、上記光軸方向と上記半径方向の形成範囲が上記第１の傾斜面と同じで上記光軸に対する傾斜方向が上記第１の傾斜面と逆である仮想傾斜面と交差する関係にあり、
上記枠内面部の上記射出側領域は、上記光軸方向と上記半径方向の形成範囲が上記第２の傾斜面と同じで上記光軸に対する傾斜方向が上記第２の傾斜面と逆である仮想傾斜面と交差する関係にあるレンズユニット。
【請求項３】
請求項１または２記載のレンズユニットにおいて、上記枠内面部の上記入射側領域は、上記入射側レンズの上記第１の傾斜面と略平行な平面形状を有し、上記枠内面部の上記射出側領域は、上記射出側レンズの上記第２の傾斜面と略平行な平面形状を有しているレンズユニット。
【請求項４】
光軸方向の入射側に位置する入射側レンズと、射出側に位置する射出側レンズ；
上記入射側レンズにおいて光軸を中心とする半径方向の周縁に設けた、上記光軸を中心とする円筒状をなす第１の外周面と、上記半径方向で上記第１の外周面よりも上記光軸からの距離が小さく、上記光軸に対して非平行かつ非垂直な平面状の第１の傾斜面；
上記射出側レンズにおいて光軸を中心とする半径方向の周縁に設けた、上記光軸を中心とする円筒状をなす第２の外周面と、上記半径方向で上記第２の外周面よりも上記光軸からの距離が小さく、上記光軸に対して非平行かつ非垂直な平面状の第２の傾斜面；
少なくとも上記入射側レンズと上記射出側レンズを挿入する保持孔を内部に有し、上記第１の外周面と上記第２の外周面の外側を囲む第１枠部と、上記第１の傾斜面と上記第２の傾斜面の外側を囲む第２枠部を有するレンズ枠；
上記第１枠部内に設けた、上記光軸方向での上記入射側レンズの位置を決める入射側位置決め部と、上記光軸方向での上記射出側レンズの位置を決める射出側位置決め部；及び
上記第２枠部で上記保持孔の内面を構成し、上記光軸方向における上記入射側と上記射出側のそれぞれの端部よりも中間部で上記光軸からの上記半径方向の距離が小さい枠内面部；
を有し、
上記入射側レンズは、上記第１の傾斜面が上記光軸方向で上記入射側から上記射出側に進むにつれて上記光軸からの上記半径方向の距離を小さくする第１の向きで上記レンズ枠の上記保持孔内に保持され、上記枠内面部は、上記入射側レンズが上記光軸方向で上記第１の向きと逆向きであるときに、上記入射側から上記保持孔内への上記第１の傾斜面の挿入を規制すること；及び
上記射出側レンズは、上記第２の傾斜面が上記光軸方向で上記入射側から上記射出側に進むにつれて上記光軸からの上記半径方向の距離を大きくする第２の向きで上記レンズ枠の上記保持孔内に保持され、上記枠内面部は、上記射出側レンズが上記光軸方向で上記第２の向きと逆向きであるときに、上記射出側から上記保持孔内への上記第２の傾斜面の挿入を規制すること；
を特徴とするレンズユニット。
【請求項５】
請求項４記載のレンズユニットにおいて、上記枠内面部は、上記入射側レンズが上記第１の向きであるときに上記射出側から上記保持孔内への上記第１の傾斜面の挿入を規制し、上記射出側レンズが上記第２の向きであるときに上記入射側から上記保持孔内への上記第２の傾斜面の挿入を規制するレンズユニット。
【請求項６】
請求項４または５記載のレンズユニットにおいて、上記枠内面部は、
上記入射側位置決め部によって上記入射側レンズを上記光軸方向に位置決めした状態で上記第１の傾斜面に対向する、上記第１の傾斜面と略平行な平面状の入射側傾斜内面；及び
上記射出側位置決め部によって上記射出側レンズを上記光軸方向に位置決めした状態で上記第２の傾斜面に対向する、上記第２の傾斜面と略平行な平面状の射出側傾斜内面；
を有しているレンズユニット。
【請求項７】
請求項１ないし６のいずれか１項または２記載のレンズユニットにおいて、
上記入射側位置決め部は、上記光軸と略垂直で上記光軸方向の上記入射側を向く平面であり、上記入射側レンズは、上記入射側から上記入射側位置決め部に当接して上記光軸方向での位置が決まる第１の基準面を有し、
上記射出側位置決め部は、上記光軸と略垂直で上記光軸方向の上記射出側を向く平面であり、上記射出側レンズは、上記射出側から上記射出側位置決め部に当接して上記光軸方向での位置が決まる第２の基準面を有するレンズユニット。
【請求項８】
請求項１ないし７のいずれか１項記載のレンズユニットにおいて、上記光軸方向で上記射出側レンズよりも上記射出側の位置で上記レンズ枠に取り付けられ、上記第２の傾斜面で反射して射出側へ進む光の少なくとも一部を遮る射出側遮光部材を有するレンズユニット。
【請求項９】
請求項１ないし８のいずれか１項記載のレンズユニットにおいて、上記光軸方向で上記入射側レンズよりも上記入射側の位置で上記レンズ枠に取り付けられ、上記入射側から上記第１の傾斜面へ向けて進む光の少なくとも一部を遮る入射側遮光部材を備えるレンズユニット。
【発明の詳細な説明】
【技術分野】
【０００１】
本発明は、レンズと該レンズを保持するレンズ枠とを有するレンズユニットに関する。
【背景技術】
【０００２】
近年では、携帯情報端末などの様々な機器に撮像装置が搭載されており、こうした機器の小型化やデザイン性の向上に寄与するために、撮像装置に対する小型化の要求が強まっている。例えば、特許文献１から特許文献５のように、撮像光学系を構成するレンズの周縁形状を、光軸を中心とする円形（円筒）の一部を欠除させた非円形にすることで、レンズの正面投影面積が小さくなり、当該レンズを含む撮像装置全体の小型化を図ることができる。この種の非円形の周縁形状を有するレンズとして、周縁に平面状のカット面を１つ有するＤカット形状のレンズや、周縁に２つの平面状のカット面を有する小判形状のレンズなどが知られている。
【先行技術文献】
【特許文献】
【０００３】
【特許文献１】特開２０１３−００３１８０号公報
【特許文献２】特開２０１５−１１４４００号公報
【特許文献３】特開２００６−２６７３９１号公報
【特許文献４】特開２０１０−２４３７６３号公報
【特許文献５】特開２０１３−１０５０４９号公報
【発明の概要】
【発明が解決しようとする課題】
【０００４】
上記のようなカット面を周縁に有するレンズを用いる場合、カット面で反射した光が撮像面に達し、フレアやゴーストが生じて撮影画像の画像品質が低下するおそれがある。特に、光軸を中心とするレンズの半径方向において光軸からカット面までの距離を小さくするほどレンズを小型化できるが、その反面、光軸に近い位置ほどカット面の面積が大きくなりやすく、有害な反射光が生じるリスクが高まる。そのため、半径方向においてレンズの有効範囲に対して余裕を持たせた位置にカット面を形成する必要があり、レンズの小型化が制約されていた。
【０００５】
また、小型化を目的として上記のようなカット面を有するレンズを用いる場合、このレンズを保持するレンズ枠においても小型化を実現するべく、レンズのカット面の外側を囲む部分を薄肉に形成する場合が多い。すると、この薄肉部分での強度確保が課題になる。さらに薄肉部分には、レンズ枠を成形する際のウェルドラインが発生しやすいという問題もある。
【０００６】
本発明は、以上の問題に鑑みてなされたものであり、光学性能を損なわずにレンズの小型化とレンズ枠の強度確保を実現できるレンズユニットを提供することを目的とする。
【課題を解決するための手段】
【０００７】
本発明は、光軸方向の入射側に位置する入射側レンズと、射出側に位置する射出側レンズを、共通のレンズ枠の保持孔内に挿入保持するレンズユニットに関するものである。本発明の第１の態様のレンズユニットは次の構成を備える。入射側レンズは、光軸を中心とする半径方向の周縁に、光軸を中心とする円筒状をなす第１の外周面と、半径方向で第１の外周面よりも光軸からの距離が小さく、光軸方向の入射側から射出側に進むにつれて光軸からの半径方向の距離を小さくする第１の傾斜面とを有する。射出側レンズは、光軸を中心とする半径方向の周縁に、光軸を中心とする円筒状をなす第２の外周面と、半径方向で第２の外周面よりも光軸からの距離が小さく、光軸方向の入射側から射出側に進むにつれて光軸からの半径方向の距離を大きくする第２の傾斜面とを有する。レンズ枠は、入射側レンズの第１の外周面と第２の外周面の外側を囲む第１枠部と、第１の傾斜面と第２の傾斜面の外側を囲む第２枠部を有する。第１枠部内には、光軸方向での入射側レンズの位置を決める入射側位置決め部と、光軸方向での射出側レンズの位置を決める射出側位置決め部を有する。第２枠部には保持孔の内面として、入射側位置決め部により位置決めされた入射側レンズの第１の傾斜面に沿う入射側領域と、射出側位置決め部により位置決めされた射出側レンズの第２の傾斜面に沿う射出側領域とを有する枠内面部が設けられる。枠内面部の入射側領域は光軸方向における入射側よりも射出側で光軸からの半径方向の距離が小さく、枠内面部の射出側領域は光軸方向における入射側よりも射出側で光軸からの半径方向の距離が大きい。
【０００８】
枠内面部の入射側領域は、光軸方向と半径方向の形成範囲が入射側レンズの第１の傾斜面と同じで光軸に対する傾斜方向が入射側レンズの第１の傾斜面と逆である仮想傾斜面と交差する関係にあり、枠内面部の射出側領域は、光軸方向と半径方向の形成範囲が射出側レンズの第２の傾斜面と同じで光軸に対する傾斜方向が射出側レンズの第２の傾斜面と逆である仮想傾斜面と交差する関係にあることが好ましい。
【０００９】
枠内面部の入射側領域を、入射側レンズの第１の傾斜面と略平行な平面形状とし、枠内面部の射出側領域を、射出側レンズの第２の傾斜面と略平行な平面形状とすることが好ましい。
【００１０】
本発明の第２の態様のレンズユニットは次の構成を備える。入射側レンズは、光軸を中心とする半径方向の周縁に、光軸を中心とする円筒状をなす第１の外周面と、半径方向で第１の外周面よりも光軸からの距離が小さく、光軸に対して非平行かつ非垂直な第１の傾斜面とを有する。射出側レンズは、光軸を中心とする半径方向の周縁に、光軸を中心とする円筒状をなす第２の外周面と、半径方向で第２の外周面よりも光軸からの距離が小さく、光軸に対して非平行かつ非垂直な第２の傾斜面とを有する。レンズ枠は、入射側レンズの第１の外周面と第２の外周面の外側を囲む第１枠部と、第１の傾斜面と第２の傾斜面の外側を囲む第２枠部を有する。第１枠部内には、光軸方向での入射側レンズの位置を決める入射側位置決め部と、光軸方向での射出側レンズの位置を決める射出側位置決め部を有する。第２枠部には保持孔の内面として、光軸方向における入射側と射出側のそれぞれの端部よりも中間部で光軸からの半径方向の距離が小さい枠内面部を有する。入射側レンズは、第１の傾斜面が光軸方向で入射側から射出側に進むにつれて光軸からの半径方向の距離を小さくする第１の向きでレンズ枠の保持孔内に保持され、レンズ枠の枠内面部は、入射側レンズが光軸方向で第１の向きと逆向きであるときに、入射側から保持孔内への第１の傾斜面の挿入を規制する。射出側レンズは、第２の傾斜面が光軸方向で入射側から射出側に進むにつれて光軸からの半径方向の距離を大きくする第２の向きでレンズ枠の保持孔内に保持され、レンズ枠の枠内面部は、射出側レンズが光軸方向で第２の向きと逆向きであるときに、射出側から保持孔内への第２の傾斜面の挿入を規制する。
【００１１】
さらに、レンズ枠の枠内面部は、入射側レンズが第１の向きであるときに射出側から保持孔内への第１の傾斜面の挿入を規制し、射出側レンズが第２の向きであるときに入射側から保持孔内への第２の傾斜面の挿入を規制するとよい。
【００１２】
第２枠部における枠内面部を構成する部分として、入射側位置決め部によって入射側レンズを光軸方向に位置決めした状態で第１の傾斜面に対向する、第１の傾斜面と略平行な平面状の入射側傾斜内面と、射出側位置決め部によって射出側レンズを光軸方向に位置決めした状態で第２の傾斜面に対向する、第２の傾斜面と略平行な平面状の射出側傾斜内面を有することが好ましい。
【００１３】
各態様のレンズユニットは、光軸と略垂直で光軸方向の入射側を向く平面として入射側位置決め部を構成し、入射側レンズは、入射側から入射側位置決め部に当接して光軸方向での位置が決まる第１の基準面を有するとよい。また、光軸と略垂直で光軸方向の射出側を向く平面として射出側位置決め部を構成し、射出側レンズは、射出側から射出側位置決め部に当接して光軸方向での位置が決まる第２の基準面を有するとよい。
【００１４】
本発明の各態様のレンズユニットでは、レンズ枠に遮光部材を取り付けてもよい。例えば、光軸方向で射出側レンズよりも射出側の位置でレンズ枠に取り付けられる射出側遮光部材や、光軸方向で入射側レンズよりも入射側の位置でレンズ枠に取り付けられる入射側遮光部材を備えることができる。射出側遮光部材は、射出側レンズの第２の傾斜面で反射して射出側へ進む光の少なくとも一部を遮る。入射側遮光部材は、入射側から入射側レンズの第１の傾斜面へ向けて進む光の少なくとも一部を遮る。
【発明の効果】
【００１５】
本発明によれば、入射側レンズと射出側レンズがそれぞれ撮像面まで反射光を到達させにくい形状である第１の傾斜面との第２の傾斜面を有しており、各傾斜面からの有害な反射光を抑えながら各傾斜面の形成位置を光軸に近づけて入射側レンズと射出側レンズの小型化を図ることができる。また、レンズ枠では、入射側レンズの第１の傾斜面と射出側レンズの第２傾斜面の外側を囲む第２枠部が、各傾斜面に対応して光軸方向の中間部で光軸からの半径方向の距離が小さくなる枠内面部を有しており、レンズ枠の大型化を伴わずに第２枠部の肉厚を大きくして強度を確保できる。従って、光学性能を損なわずにレンズの小型化とレンズ枠の強度確保を実現したレンズユニットを得ることができる。
【図面の簡単な説明】
【００１６】
【図１】本発明を適用した２群レンズユニットを有する撮像装置の側断面図である。
【図２】２群レンズユニットの分解斜視図である。
【図３】２群枠の斜視図である。
【図４】２群レンズユニットの側断面図である。
【図５】第１レンズと第２レンズのそれぞれの光軸方向の向きを逆にした状態を仮想的に示した２群レンズユニットの下半部分の側断面図である。
【図６】別実施形態の２群レンズユニットの側断面図である。
【図７】本発明の実施形態とは異なる比較例のレンズユニットの側断面図である。
【発明を実施するための形態】
【００１７】
図１に断面を示す撮像装置１０の撮像光学系は、第１群Ｇ１、第２群Ｇ２、第３群Ｇ３、第４群Ｇ４を有し、第１群Ｇ１に含まれる第１プリズムＰＲ１と第４群Ｇ４の像側に位置する第２プリズムＰＲ２とでそれぞれ略直角に光束を反射させる屈曲光学系となっている。第１群Ｇ１は、被写体（物体）側から順に、第１レンズＬ１と第１プリズムＰＲと第２レンズＬ２を有している。第２群Ｇ２は、被写体側から順に第１レンズ（入射側レンズ）Ｌ３と第２レンズ（射出側レンズ）Ｌ４を有している。第２群Ｇ２から第４群Ｇ４はそれぞれ、プリズムなどの反射素子を含まないレンズ群である。第２プリズムＰＲ２の射出面に対向する位置に撮像センサ１１が設けられている。第１群Ｇ１の第１レンズＬ１を通る光軸を第１光軸Ｏ１、第１群Ｇ１の第２レンズＬ２から第４群Ｇ４までを通る光軸を第２光軸Ｏ２、第２プリズムＰＲ２から撮像センサ１１に向かう光軸を第３光軸Ｏ３とする。第１光軸Ｏ１と第３光軸Ｏ３は略平行であり、第２光軸Ｏ２に対して略垂直な関係にある。
【００１８】
撮像装置１０は、第２光軸Ｏ２に沿う方向に長い筺体１２を有し、筺体１２の長手方向の一端部付近に第１群Ｇ１が支持され、長手方向の他端付近に第４群Ｇ４と第２プリズムＰＲ２と撮像センサ１１が設けられている。筺体１２の長手方向の中間には２群枠（レンズ枠）１３と３群枠１４が支持されている。２群枠１３は第２群Ｇ２を保持するレンズ枠であり、３群枠１４は第３群Ｇ３を保持するレンズ枠である。２群枠１３に第２群Ｇ２を組み付けたものが２群レンズユニット１５となる。
【００１９】
図２以下を参照して２群レンズユニット１５の詳細を説明する。以下の説明では、第２光軸Ｏ２に沿う方向を光軸方向とする。２群レンズユニット１５を基準として、第１群Ｇ１が位置する側を光軸方向の入射側、第３群Ｇ３から第２プリズムＰＲ２が位置する側を光軸方向の射出側とする。また、第１光軸Ｏ１と第３光軸Ｏ３に沿う方向を撮像装置１０の前後方向とし、第１レンズＬ１の入射面が向く側を前方、第１レンズＬ１の射出面が向く側を後方とする。また、第１光軸Ｏ１と第２光軸Ｏ２と第３光軸Ｏ３に対して直交する方向（図１や図４の紙面に対して直交する方向）を撮像装置１０の幅方向とする。
【００２０】
図４に示すように、第２群Ｇ２の第１レンズＬ３は、入射面２０と射出面２１がいずれも凸面である両凸レンズである。第１レンズＬ３には、第２光軸Ｏ２を中心とする半径方向の周縁に、光軸方向の厚みが略一定の環状周縁部２２が設けられている。環状周縁部２２は、入射面２０の周縁に位置する入射周縁面２２ａと、射出面２１の周縁に位置する基準面（第１の基準面）２２ｂと、入射周縁面２２ａと基準面２２ｂを接続する外周面（第１の外周面）２２ｃを有している。入射周縁面２２ａと基準面２２ｂは第２光軸Ｏ２に対して略垂直な平面であり、外周面２２ｃは第２光軸Ｏ２を中心とする円筒面である。
【００２１】
第１レンズＬ３は、第２光軸Ｏ２を中心とする回転対称体から撮像装置１０の後方側を向く周縁の一部を切り欠いた形状であり、幅方向のサイズ（直径）よりも前後方向のサイズが小さい。第１レンズＬ３の切り欠き部分には、入射面２０と射出面２１を接続するカット面（第１の傾斜面）２５が形成されている。カット面２５は第２光軸Ｏ２に対して非平行かつ非垂直な平面であり、入射面２０から射出面２１に進むにつれて、第２光軸Ｏ２からの半径方向の距離を小さくするように傾斜している。
【００２２】
図４に示すように、第２群Ｇ２の第２レンズＬ４は、凸面である入射面３０よりも凹面である射出面３１の曲率が大きい凹メニスカスレンズである。第２レンズＬ４には、第２光軸Ｏ２を中心とする半径方向の周縁に、光軸方向の厚みが略一定の環状周縁部３２が設けられている。環状周縁部３２と入射面３１の間に、環状周縁部３２よりも第２光軸Ｏ２に近く位置する段部３３が形成されている。環状周縁部３２は、段部３３の周縁に位置する基準面（第２の基準面）３２ａと、射出面３１の周縁に位置する射出周縁面３２ｂと、基準面３２ａと射出周縁面３２ｂを接続する外周面（第２の外周面）３２ｃを有している。基準面３２ａと射出周縁面３２ｂは第２光軸Ｏ２に対して略垂直な平面であり、外周面３２ｃは第２光軸Ｏ２を中心とする円筒面である。
【００２３】
第２レンズＬ４は、第２光軸Ｏ２を中心とする回転対称体から撮像装置１０の後方側を向く周縁の一部を切り欠いた形状であり、幅方向のサイズ（直径）よりも前後方向のサイズが小さい。第２レンズＬ４の切り欠き部分には、入射面３０と射出面３１を接続するカット面（第２の傾斜面）３５が形成されている。カット面３５は第２光軸Ｏ２に対して非平行かつ非垂直な平面であり、入射面３０から射出面３１に進むにつれて、第２光軸Ｏ２からの半径方向の距離を大きくするように傾斜している。
【００２４】
第１レンズＬ３と第２レンズＬ４は、第２光軸Ｏ２から外周面２２ｃと外周面３２ｃまでの半径方向の大きさが概ね同じである。また、第１レンズＬ３のカット面２５と第２レンズＬ４のカット面３５は、第２光軸Ｏ２を中心とする半径方向で概ね同じ範囲に形成されている。
【００２５】
図３と図４に示すように、２群枠１３には、第１レンズＬ３と第２レンズＬ４を挿入する保持孔４０が光軸方向に貫通形成されている。２群枠１３は保持孔４０を形成する部分として、第１レンズＬ３の環状周縁部２２の外周面２２ｃと第２レンズＬ４の環状周縁部３２の外周面３２ｃの外側を囲む第１枠部４１と、第１レンズＬ３のカット面２５と第２レンズＬ４のカット面３５の外側を囲む第２枠部４２を有している。
【００２６】
図２と図３に示すように、第１枠部４１から幅方向の一方と他方に突出する側方突出部４３と側方突出部４４が設けられる。側方突出部４３には光軸方向に貫通するガイド孔４５が形成され、筺体１２内に固定的に支持された第１ガイドシャフト１６（図１）がガイド孔４５に対して挿通される。側方突出部４４には光軸方向に貫通する回転規制孔４６が形成され、筺体１２内に固定的に支持された第２ガイドシャフト（図示略）が回転規制孔４６に対して挿通される。第１ガイドシャフト１６と第２ガイドシャフトはいずれも光軸方向に軸線が向いており、ガイド孔４５が第１ガイドシャフト１６による案内を受けることよって、２群枠１３が光軸方向に移動可能に支持される。第２ガイドシャフトと回転規制孔４６によって、第１ガイドシャフト１６を中心とする２群枠１３の回転が規制される。
【００２７】
筺体１２内には第１ガイドシャフト１６と平行に延びるリードスクリュー１７（図１）が支持されており、リードスクリュー１７に螺合するナット（図示略）が側方突出部４３のナット受け部４７に嵌合している。筺体１２に支持されたモータ（図示略）によってリードスクリュー１７が回転駆動され、リードスクリュー１７の回転によってナットが光軸方向に移動する。ナットからナット受け部４７に力が伝わり、２群枠１３が光軸方向に移動する。詳細な図示を省略するが、３群枠１４は、２群枠１３と同様の駆動機構によって光軸方向に移動する。撮像装置１０の撮像光学系は焦点距離可変であり、２群枠１３に支持される第２群Ｇ２と３群枠１４に支持される第３群Ｇ３の光軸方向移動によってズーミング（変倍）動作が行われる。
【００２８】
図２ないし図４に示すように、２群枠１３は、第１枠部４１と第２枠部４２で保持孔４０の内面形状が異なっている。第１枠部４１における保持孔４０の内面は、入射側に筒状面５０を有し、射出側に筒状面５１を有し、筒状面５０に続いて規制面（入射側位置決め部）５２が形成され、筒状面５１に続いて規制面（射出側位置決め部）５３が形成されている。筒状面５０と筒状面５１はいずれも第２光軸Ｏ２を中心とする円筒状の内周面の一部であり、第２光軸Ｏ２を中心とする半径方向における筒状面５０と筒状面５１の内径サイズは略等しい。規制面５２と規制面５３はいずれも第２光軸Ｏ２に対して略垂直な平面であり、規制面５２が入射側を向き、規制面５３が射出側を向いている。規制面５２と規制面５３の間の光軸方向位置には、第２光軸Ｏ２側に向けて突出する中間突出部５４が形成されている。
【００２９】
図３に示すように、第１枠部４１の入射側には、第２光軸Ｏ２を中心とする周方向に位置を異ならせて複数（４つ）の凹部５５が形成されている。各凹部５５は、筒状面５０から外径方向（第２光軸Ｏ２から離れる方向）に向けて凹設されており、第１枠部４１の入射側の端面に開口している。また、第１枠部４１の入射側の端面には、２つの位置決め突起５６が突設されている。
【００３０】
第１枠部４１の射出側には、凹部５５と同様の複数の凹部５７（図２と図３に一部が表れている）が設けられている。各凹部５７は、筒状面５１から外径方向に向けて凹設され、第１枠部４１の射出側の端面に開口している。また、第１枠部４１の射出側の端面には、位置決め突起５６と同様に２つの位置決め突起５８（図１と図２にそれぞれ一つ表れている）が設けられている。
【００３１】
図１ないし図４に示すように、第２枠部４２における保持孔４０の内面である枠内面部６０は、入射側に傾斜内面（入射側領域、入射側傾斜内面）６１を有し、射出側に傾斜内面（射出側領域、射出側傾斜内面）６２を有している。傾斜内面６１は、入射側から射出側に向けて進むにつれて第２光軸Ｏ２からの半径方向の距離を小さくする平面であり、傾斜内面６２は、入射側から射出側に向けて進むにつれて第２光軸Ｏ２からの半径方向の距離を大きくする平面である。つまり、枠内面部６０は、光軸方向における入射側と射出側のそれぞれの端部よりも中間部で第２光軸Ｏ２からの半径方向の距離が小さくなる略山形形状を有している。第２枠部４２のうち枠内面部６０の裏側に位置する外面部分は、第２光軸Ｏ２と略平行な平面形状である。そのため第２枠部４２は、枠内面部６０の形状によって、光軸方向の入射側と射出側から中間部に向けて徐々に肉厚を大きくする略山形の断面形状になっている（図４参照）。第２光軸Ｏ２に対する傾斜内面６１の傾斜角は、第１レンズＬ３のカット面２５と略同じであり、第２光軸Ｏ２に対する傾斜内面６２の傾斜角は、第２レンズＬ４のカット面３５と略同じである。すなわち、傾斜内面６１はカット面２５と略平行な平面であり、傾斜内面６２はカット面３５と略平行な平面である。傾斜内面６１と傾斜内面６２の間の光軸方向位置には、第２光軸Ｏ２側に向けて突出する中間突出部６３が形成されている。
【００３２】
図２と図４に示すように、第１レンズＬ３は、カット面２５の位置が第２枠部４２に対応するように第２光軸Ｏ２を中心とする周方向位置を合わせ、かつ入射面２０を入射側に向け射出面２１を射出側に向けて（この第１レンズＬ３の光軸方向の向きを第１の向きと呼ぶ）、入射側から保持孔４０内に挿入して２群枠１３に組み付けられる。このときに第１レンズＬ３が光軸方向で第１の向きと逆向き（入射面２０が射出側を向き、射出面２１が入射側を向く）であると、第２光軸Ｏ２に対するカット面２５と傾斜内面６１の傾斜方向が互いに逆になり、カット面２５と入射面２０の境界部分が傾斜内面６１に当接して干渉するので、保持孔４０への第１レンズＬ３の挿入が規制される。第１の向きとは逆向きにした仮想の第１レンズＬ３ｘを図５に一点鎖線で示した。図５に示す仮想カット面２５ｘは、光軸方向の形成範囲と半径方向の形成範囲がカット面２５と略同じで、第２光軸Ｏ２に対する傾斜方向がカット面２５とは逆の傾斜面である。カット面２５ｘは２群枠１３の傾斜内面６１と交差する関係にあり、２群枠１３の保持孔４０に対して図５に示す位置まで第１レンズＬ３ｘを挿入することはできない。
【００３３】
また、第１レンズＬ３を第１の向きにして保持孔４０に対して射出側から挿入しようとすると、カット面２５と入射面２０の境界部分が傾斜内面６２に当接して干渉するので、射出側からの第１レンズＬ３の挿入が規制される。
【００３４】
第１の向きで入射側から保持孔４０に挿入された第１レンズＬ３は、基準面２２ｂが規制面５２に当接することにより光軸方向の位置が決まる（図４参照）。この状態で、カット面２５と傾斜内面６１の間と、環状周縁部２２の外周面２２ｃと筒状面５０の間にはそれぞれクリアランスがあり、第１レンズＬ３は第２光軸Ｏ２と直交する平面内での位置調整（調芯）を行うことができる。調芯作業は凹部５５に器具を挿入して行うことができる。第１レンズＬ３の調芯が完了すると、凹部５５に接着剤を充填して２群枠１３に対して第１レンズＬ３を固定する。
【００３５】
保持孔４０内に第１レンズＬ３を固定した状態で、２群枠１３に入射側遮光枠（入射側遮光部材）７０を取り付ける。図２に示すように、入射側遮光枠７０は、第１枠部４１と第２枠部４２の入射側の面を覆う板状部材であり、光軸方向に貫通するＤ字形状の光路開口７１を有する。光路開口７１に臨む入射側遮光枠７０の内縁部は、第１枠部４１に対応する部分では第２光軸Ｏ２を中心とする円形の円形縁部７２となり、第２枠部４２に対応する部分では幅方向に延びる直線縁部７３となる。
【００３６】
入射側遮光枠７０は、光路開口７１を挟んだ幅方向の一方と他方に位置決め溝７４と位置決め溝７５を有している。各位置決め溝７４，７５内に位置決め突起５６を挿入することによって、２群枠１３への入射側遮光枠７０の取り付け位置が決まる。入射側遮光枠７０は接着などの手段によって２群枠１３に固定される。図４に示すように、２群枠１３に取り付けた状態の入射側遮光枠７０は、環状周縁部２２とカット面２５を含む第１レンズＬ３の周縁部の入射側に位置して、第１レンズＬ３の周縁部への光の入射を遮断する。特に、入射側遮光枠７０のうち直線縁部７３に沿う部分は、カット面２５に対する入射側の領域に位置しており、カット面２５へ向けて進む光の一部を遮断することができる。
【００３７】
図２と図４に示すように、第２レンズＬ４は、カット面３５の位置が第２枠部４２に対応するように第２光軸Ｏ２を中心とする周方向位置を合わせ、かつ入射面３０を入射側に向け射出面３１を射出側に向けて（この第２レンズＬ４の光軸方向の向きを第２の向きと呼ぶ）、射出側から保持孔４０内に挿入して２群枠１３に組み付けられる。このときに第２レンズＬ４が光軸方向で第２の向きと逆向き（入射面３０が射出側を向き、射出面３１が入射側を向く）であると、第２光軸Ｏ２に対するカット面３５と傾斜内面６２の傾斜方向が互いに逆になり、カット面３５と射出面３１の境界部分が傾斜内面６２に当接して干渉するので、保持孔４０への第２レンズＬ４の挿入が規制される。第２の向きとは逆向きにした仮想の第２レンズＬ４ｘを図５に一点鎖線で示した。図５に示す仮想カット面３５ｘは、光軸方向の形成範囲と半径方向の形成範囲がカット面３５と略同じで、第２光軸Ｏ２に対する傾斜方向がカット面３５とは逆の傾斜面である。カット面３５ｘは２群枠１３の傾斜内面６２と交差する関係にあり、２群枠１３の保持孔４０に対して図５に示す位置まで第２レンズＬ４ｘを挿入することはできない。
【００３８】
また、第２レンズＬ４を第２の向きにして保持孔４０に対して入射側から挿入しようとすると、カット面３５と射出面３１の境界部分が傾斜内面６１に当接して干渉するので、入射側からの第２レンズＬ４の挿入が規制される。
【００３９】
第２の向きで射出側から保持孔４０に挿入された第２レンズＬ４は、基準面３２ａが規制面５３に当接することにより光軸方向の位置が決まる（図４参照）。この状態で、カット面３５と傾斜内面６２の間と、環状周縁部３２の外周面３２ｃと筒状面５１の間と、段部３３と中央突出部５４の間にはそれぞれクリアランスがあり、第２レンズＬ４は第２光軸Ｏ２と直交する平面内での位置調整（調芯）を行うことができる。調芯作業は凹部５７に器具を挿入して行うことができる。第２レンズＬ４の調芯が完了すると、凹部５７に接着剤を充填して２群枠１３に対して第２レンズＬ４を固定する。
【００４０】
保持孔４０内に第２レンズＬ４を固定した状態で、２群枠１３に絞り枠（射出遮光部材）８０を取り付ける。図２に示すように、絞り枠８０は、第１枠部４１と第２枠部４２の射出側の面を覆う板状部材であり、光軸方向に貫通するＤ字形状の光路開口８１を有する。光路開口８１に臨む絞り枠８０の内縁部は、第１枠部４１に対応する部分では第２光軸Ｏ２を中心とする円形の円形縁部８２となり、第２枠部４２に対応する部分では幅方向に延びる直線縁部８３となる。
【００４１】
絞り枠８０は、光路開口８１を挟んだ幅方向の一方と他方に位置決め溝８４と位置決め孔８５を有している。位置決め溝８４によって一方の位置決め突起５８を挟持すると共に、位置決め孔８５に他方の位置決め突起５８を挿入することによって、２群枠１３への絞り枠８０の取り付け位置が決まる。絞り枠８０は接着などの手段によって２群枠１３に固定される。図４に示すように、２群枠１３に取り付けた状態の絞り枠８０は、環状周縁部３２とカット面３５を含む第２レンズＬ４の周縁部の射出側に位置して、第２レンズＬ４の周縁部から第３群Ｇ３へ進もうとする光を遮断する。特に、絞り枠８０のうち直線縁部８３に沿う部分は、カット面３５に対する射出側の領域に位置しており、カット面３５で反射されて撮像面へ向けて進む光の一部を遮断することができる。
【００４２】
以上のように第１レンズＬ３と第２レンズＬ４を互いに光軸方向の反対側から２群枠１３に組み付けた状態で、第１レンズＬ３と第２レンズＬ４の光軸方向位置と、射出面２１と入射面３０の光軸方向間隔が、２群枠１３の保持孔４０内の規制面５２と規制面５３を基準として決まり、第２群Ｇ２を含む２群レンズユニット１５が構成される。
【００４３】
第２群Ｇ２における第１レンズＬ３のカット面２５と第２レンズＬ４のカット面３５は、有害な反射光を撮像面（撮像センサ１１の受光面）まで到達させにくい構造となっている。図７に示す比較例のレンズユニット１５’を参照しながら、その詳細を説明する。なお、図４と図７で共通の符号を用いている部分は、共通する構成（部材の形状及び大きさ）を有しているものとする。
【００４４】
図７の比較例のレンズユニット１５’は、第１レンズＬ３’のカット面２５’と、第２レンズＬ４’のカット面３５’をそれぞれ第２光軸Ｏ２と略平行な平面としたものであり、これに対応して２群枠１３’の保持孔４０’の枠内面部６０’も、図４の２群枠１３の保持孔４０の枠内面部６０とは異なっている。より詳しくは、図４に示す実施形態のカット面２５の入射側の端部位置（カット面２５のうち第２光軸Ｏ２からの距離が最も大きい部分）を、第２光軸Ｏ２と略平行に射出側に向けて延長したものが図７のカット面２５’である。また、図４に示す実施形態のカット面３５の射出側の端部位置（カット面３５のうち第２光軸Ｏ２からの距離が最も大きい部分）を、第２光軸Ｏ２と略平行に入射側に向けて延長したものが図７のカット面３５’である。２群枠１３’の枠内面部６０’には、カット面２５’に対向する位置に、第２光軸Ｏ２と略平行な平面である光軸平行内面６１’が形成され、カット面３５’に対向する位置に、第２光軸Ｏ２と略平行な平面である光軸平行内面６２’が形成されている。光軸平行内面６１’と光軸平行内面６２’の間に中間突出部６３’が突設されている。中間突出部６３’の先端から第２光軸Ｏ２までの距離は、図４に示す実施形態における中間突出部６３の先端から第２光軸Ｏ２までの距離と略等しい。
【００４５】
図７のレンズユニット１５’において入射側遮光枠７０で遮られずに直線縁部７３の至近を通って第１レンズＬ３’のカット面２５’に向かう光線Ｋ１１を図７に示した。光線Ｋ１１は、カット面２５’で反射されて第２光軸Ｏ２に接近する方向に向きを変え、第１レンズＬ３’の射出面２１から出て中間突出部６３’の近傍を通って第２レンズＬ４’の入射面３０に入射し、第２レンズＬ４’の射出面３１から出て第３群Ｇ３に向けて進む。また、入射側遮光枠７０で遮られずに中間突出部６３’の近傍を通って第２レンズＬ４’のカット面３５’に向かう光線Ｋ１２を図７に示した。光線Ｋ１２は、カット面３５’で反射されて第２光軸Ｏ２に接近する方向に向きを変え、第２レンズＬ４’の射出面３１から出て、絞り枠８０に遮られずに直線縁部８３の至近を通って第３群Ｇ３に向けて進む。このようなカット面２５’ やカット面３５’で反射された光線が撮像センサ１１の受光面に到達すると、画像にフレアやゴーストが生じるおそれがある。
【００４６】
図４に示す実施形態の２群レンズユニット１５では、第１レンズＬ３において、入射側から射出側に進むにつれて第２光軸Ｏ２に近づく傾斜面としてカット面２５を設定することにより、カット面２５で反射された反射光は、図７のカット面２５’で反射された反射光に比して射出面２１への入射角が大きくなる。そして、図７の光線Ｋ１１と同条件の光線Ｋ１が第１レンズＬ３に入射した場合には、第１レンズＬ３のカット面２５で反射された光線が射出面２１で全反射するように、カット面２５の傾斜角が設定されている。
【００４７】
また、第２レンズＬ４において、入射側から射出側に進むにつれて第２光軸Ｏ２から離れる傾斜面としてカット面３５を設定することにより、カット面３５で反射された反射光は、図７のカット面３５’で反射された反射光に比して射出面３１への入射角が小さくなる。そして、図７の光線Ｋ１２と同条件の光線Ｋ２が第２レンズＬ４に入射した場合には、第２レンズＬ４のカット面３５で反射された光線が絞り枠８０で遮られるように、カット面３５の傾斜角が設定されている。
【００４８】
このように本実施形態の２群レンズユニット１５では、第１レンズＬ３のカット面２５に入射側への立ち上がり角を有する傾斜を与え、第２レンズＬ４のカット面３５に射出側への立ち上がり角を有する傾斜を与えることにより、カット面２５とカット面３５での反射光が撮像面（撮像センサ１１の受光面）まで到達しにくくなり、カット面２５とカット面３５での反射を起因とするフレアやゴーストを効果的に防ぐことができる。よって、有効径が確保される範囲内で第１レンズＬ３と第２レンズＬ４の周縁部分の除去量を大きくして（第２光軸Ｏ２からのカット面２５とカット面３５の距離を小さくして）、撮像装置１０の前後方向における第２群Ｇ２と２群枠１３の小型化を図ることができる。
【００４９】
なお、図４の形態では２群レンズユニット１５に絞り枠８０を設けてカット面３５での反射光を遮断しているが、絞り枠８０を備えない構成でも、図７の比較例でのカット面３５’に比して、カット面３５の傾斜によるフレアやゴーストの抑制効果を得ることができる。また、入射側遮光枠７０を備えない構成でも、図７の比較例でのカット面２５’に比して、カット面２５の傾斜によるフレアやゴーストの抑制効果を得ることができる。例えば、入射側遮光枠７０や絞り枠８０に代えて、２群枠１３と３群枠１４の間に遮光部材を配したり、３群枠１４に遮光部材を取り付けたりすることも可能である。
【００５０】
２群枠１３の第２枠部４２は、第１レンズＬ３のカット面２５と第２レンズＬ４のカット面３５の傾斜形状に対応する傾斜内面６１と傾斜内面６２を枠内面部６０に有する略山形の断面形状を有しており、図７に示す比較例の２群枠１３’における第２枠部４２’に比して肉厚が大きい。そのため、前後方向での２群枠１３の大きさを増大させずに第２枠部４２の肉厚を大きくして強度を確保することができる。また、第２枠部４２の肉厚を大きくすることで、２群枠１３を樹脂などの成形品とする場合にウェルドラインが発生しにくくなり、２群枠１３の品質や外観が向上する。２群枠１３の第１枠部４１と第２枠部４２はいずれも、光軸方向に離型する成形型によって容易に生産することが可能な形状であり、製造コストを抑えることができる。
【００５１】
また、２群枠１３に対する第１レンズＬ３と第２レンズＬ４の組み付け方向がカット面２５，３５と傾斜内面６１，６２によって定まるため、各レンズＬ３，Ｌ４を誤った向きで組み付けるリスクがなくなり、生産性の向上に寄与する。例えば、図７の比較例では、第１レンズＬ３’の表裏（入射面２０と射出面２１の向き）を逆にしても、カット面２５’と光軸平行内面６１’が略平行である関係は変わらない。また、第２レンズＬ４’の表裏（入射面３０と射出面３１の向き）を逆にしても、カット面３５’と光軸平行内面６２’が略平行である関係は変わらない。そのため、入射周縁面２２ａを規制面５２に当接させる向きで第１レンズＬ３’を２群枠１３’の保持孔４０’内に挿入したり、射出周縁面３２ｂを規制面５３に当接させる向きで第２レンズＬ４’を２群枠１３’の保持孔４０’内に挿入したりする誤挿入が生じ得る。これに対して本実施形態の２群レンズユニット１５は、図５に示すように、第１の向きとは逆向きの状態の第１レンズＬ３ｘを入射側から挿入したり、第２の向きとは逆向きの状態の第２レンズＬ４ｘを射出側から挿入したりする誤挿入を防止できる。
【００５２】
以上のように、２群レンズユニット１５は、入射側に位置する第１レンズＬ３と射出側に位置する第２レンズＬ４がそれぞれ、第２光軸Ｏ２に対して所定の方向に傾斜するカット面２５とカット面３５を有することで、反射光による画像品質の低下を抑えながら各カット面２５，３５の形成位置を第２光軸Ｏ２に近づけて第１レンズＬ３と第２レンズＬ４の小型化を図ることができる。また、２群枠１３のうちカット面２５とカット面３５を囲む第２枠部４２が、各カット面２５，３５に対応して光軸方向の中間部で第２光軸Ｏ２からの半径方向の距離が小さくなる略山形形状の枠内面部６０を有しており、２群枠１３の大型化を伴わずに第２枠部４２の肉厚を大きくして強度を確保できる。従って、２群レンズユニット１５を小型でありながら光学性能と強度に優れたものにすることができる。また、２群レンズユニット１５は組み立て作業の行い易さなど生産性の点でも優れている。
【００５３】
図６に示す２群レンズユニット１１５は、第２枠部４２の枠内面部１６０の形状を異ならせた実施形態である。枠内面部１６０は、第１レンズＬ３のカット面２５に対向する段状内面（入射側領域）１６１と、第２レンズＬ４のカット面３５に対向する段状内面（射出側領域）１６２と、光軸方向で段状内面１６１と段状内面１６２の間に位置して第２光軸Ｏ２側に向けて突出する中間突出部１６３を有している。図６中に拡大して示すように、段状内面１６１は、入射側から射出側に向けて進むにつれて第２光軸Ｏ２からの半径方向の距離を小さくする（先の実施形態の傾斜内面６１と同様の傾斜を有する）平面である傾斜面部１６１ａの途中に、第２光軸Ｏ２と略平行な平面である光軸平行面部１６１ｂを形成した構成である。段状内面１６２は、入射側から射出側に向けて進むにつれて第２光軸Ｏ２からの半径方向の距離を大きくする（先の実施形態の傾斜内面６２と同様の傾斜を有する）平面である傾斜面部１６２ａの途中に、第２光軸Ｏ２と略平行な平面である光軸平行面部１６２ｂを形成した構成である。中間突出部１６３は、図４の２群レンズユニット１５における中間突出部６３と略同じ形状である。
【００５４】
段状内面１６１と段状内面１６２はそれぞれ第２光軸Ｏ２と略平行な平面部分を途中に有しているが、枠内面部１６０の全体として、入射側と射出側のそれぞれの端部よりも中間部で第２光軸Ｏ２からの半径方向の距離が小さい略山形形状になっている。そのため枠内面部１６０は、図４の２群レンズユニット１５における枠内面部６０と同様に、第１レンズＬ３を第１の向きで入射側から保持孔４０に挿入可能にさせる一方で、第１レンズＬ３を第１の向きと逆向きにして入射側から挿入することや、第１レンズＬ３を第１の向きにして射出側から挿入することを規制する。また、枠内面部１６０は、第２レンズＬ４を第２の向きで射出側から保持孔４０に挿入可能にさせる一方で、第２レンズＬ４を第２の向きと逆向きにして射出側から挿入することや、第２レンズＬ４を第２の向きにして入射側から挿入することを規制する。そして、枠内面部１６０の略山形形状によって、２群枠１３の第２枠部４２の肉厚を大きくして強度を確保することができる。つまり、２群枠１３の第２枠部４２の内面形状は、第１レンズＬ３のカット面２５や第２レンズＬ４のカット面３５と完全に平行な平面形状でなくても成立する。但し、枠内面部１６０の段状内面１６１と段状内面１６２は、第２光軸Ｏ２と略平行な平面部分では、図４の枠内面部６０の傾斜内面６１や傾斜内面６２に比して肉厚が小さくなるので、図４の枠内面部６０の方が強度確保については有利な形態となる。
【００５５】
以上、図示実施形態に基づいて説明したが、本発明はこれらの実施形態に限定されるものではなく、要旨の範囲内で様々な形態を採用することができる。例えば、実施形態の２群レンズユニット１５，１１５は、２群枠１３内に第１レンズＬ３と第２レンズＬ４の２つのレンズを保持しているが、３つ以上のレンズを共通のレンズ枠内に保持するタイプのレンズユニットにも本発明を適用可能である。具体的には、第１レンズＬ３と第２レンズＬ４の間の光軸方向位置に別のレンズを配置する形態や、第１レンズＬ３よりも入射側あるいは第２レンズＬ４よりも射出側に別のレンズを配置する形態にすることもできる。後者の形態では、第１レンズＬ３の入射周縁面２２ａや第２レンズＬ４の射出周縁面３２ｂに対して当接させて別のレンズの光軸方向の位置を定めたり、入射周縁面２２ａや射出周縁面３２ｂとの間に間隔部材（スペーサ）を挟んで別のレンズの光軸方向位置を定めたりすることができる。
【００５６】
実施形態の２群レンズユニット１５，１１５は、入射側レンズが両凸レンズの第１レンズＬ３で、射出側レンズが凹メニスカスレンズの第２レンズＬ４であるが、本発明のレンズユニットは、入射側レンズと射出側レンズの形状をこれに限定するものではない。また、単レンズではなく貼り合わせレンズなども入射側レンズや射出側レンズとして適用可能である。
【００５７】
実施形態では、第２光軸Ｏ２を中心とする半径方向の互いの大きさ（外周面２２ｃと外周面３２ｃの半径方向位置、カット面２５とカット面３５の半径方向位置）が概ね同じである第１レンズＬ３と第２レンズＬ４を２群枠１３内に保持している。この構成によると、２群枠１３の第１枠部４１と第２枠部４２における外面形状の凹凸を少なくして、撮像装置１０の筺体１２内にスペース効率良く収まる２群レンズユニット１５，１１５にすることができる。しかし、入射側レンズと射出側レンズの半径方向サイズが異なるタイプのレンズユニットにも本発明を適用可能である。
【００５８】
実施形態の第１レンズＬ３と第２レンズＬ４はそれぞれ、周方向の一箇所だけにカット面２５，３５による切り欠き形状を有する、いわゆるＤカット形状のレンズであるが、本発明における入射側レンズや射出側レンズは、周方向における傾斜面（カット面）の数を任意に設定することが可能である。例えば、光軸に関して略対称の関係で２つの傾斜面（カット面）を有する小判形状のレンズや、周方向に位置を異ならせて３つ以上の傾斜面（カット面）を有するレンズを採用することもできる。
【００５９】
実施形態の２群レンズユニット１５，１１５では、第１レンズＬ３と第２レンズＬ４を調芯後に２群枠１３に対して接着で固定しているが、本発明ではレンズ枠に対して入射側レンズと射出側レンズを固定する手段を接着に限るものではなく、任意の固定手段や固定構造を採用することができる。
【００６０】
実施形態の２群レンズユニット１５，１１５は、撮像装置１０における屈曲光学系の第２光軸Ｏ２上に位置しているが、このような屈曲光学系ではない光学系を構成するレンズユニットにも本発明を適用することが可能である。また、実施形態の２群レンズユニット１５，１１５は光軸方向に可動であるが、可動でないレンズユニットにも本発明を適用できる。さらに光学系のうち第２群Ｇ２以外のレンズユニットにも本発明を適用可能である。
【符号の説明】
【００６１】
１０  撮像装置
１１  撮像センサ
１２  筺体
１３  ２群枠（レンズ枠）
１４  ３群枠
１５  ２群レンズユニット
１６  第１ガイドシャフト
１７  リードスクリュー
２０  入射面
２１  射出面
２２  環状周縁部
２２ａ  入射周縁面
２２ｂ  基準面（第１の基準面）
２２ｃ  外周面（第１の外周面）
２５  カット面（第１の傾斜面）
３０  入射面
３１  射出面
３２  環状周縁部
３２ａ  基準面（第２の基準面）
３２ｂ  射出周縁面
３２ｃ  外周面（第２の外周面）
３５  カット面（第２の傾斜面）
３３  段部
４０  保持孔
４１  第１枠部
４２  第２枠部
４３  ４４  側方突出部
４５  ガイド孔
４６  回転規制孔
４７  ナット受け部
５０  ５１  筒状面
５２  規制面（入射側位置決め部）
５３  規制面（射出側位置決め部）
５４  中間突出部
５５  ５７  凹部
５６  ５８  位置決め突起
６０  枠内面部
６１  傾斜内面（入射側領域、入射側傾斜内面）
６２  傾斜内面（射出側領域、射出側傾斜内面）
６３  中間突出部
７０  入射側遮光枠（入射側遮光部材）
７１  光路開口
７２  円形縁部
７３  直線縁部
７４  ７５  位置決め溝
８０  絞り枠（射出遮光部材）
８１  光路開口
８２  円形縁部
８３  直線縁部
８４  位置決め溝
８５  位置決め孔
１１５  ２群レンズユニット
１６０  枠内面部
１６１  段状内面（入射側領域）
１６２  段状内面（射出側領域）
１６１ａ  １６２ａ  傾斜面部
１６１ｂ  １６２ｂ  光軸方向平面部
１６３  中間突出部
Ｇ１  第１群
Ｇ２  第２群
Ｇ３  第３群
Ｇ４  第４群
Ｌ１  第１レンズ
Ｌ２  第２レンズ
Ｌ３  第１レンズ（入射側レンズ）
Ｌ４  第２レンズ（射出側レンズ）
Ｏ１  第１光軸
Ｏ２  第２光軸（光軸）
Ｏ３  第３光軸
ＰＲ１  第１プリズム
ＰＲ２  第２プリズム
【図１】
2017223829.tif 000003
【図２】
2017223829.tif 000004
【図３】
2017223829.tif 000005
【図４】
2017223829.tif 000006
【図５】
2017223829.tif 000007
【図６】
2017223829.tif 000008
【図７】
2017223829.tif 000009